(57)【要約】【課題】オムツのバック部が着用者の背面にフィットし易く、かつ、着用者の腹部回りの着用感が良好で、ベルトの材料に無駄が生じないオムツの製造方法を提供する。【解決手段】帯状のウエブＷを搬送しながら、切断線Ｌに沿ってウエブＷを切断して第１および第２分割ウエブＷ１，Ｗ２を形成する。第１分割ウエブＷ１の第１テーパ状部１３と第２分割ウエブＷ２の第２テーパ状部２３とが互いに重なり合うように、各分割ウエブＷ１，Ｗ２の位相をずらす。各テーパ状部１３，２３を互いに仮接合した後に、各分割ウエブＷ１，Ｗ２の側部Ｓ１，Ｓ２を切断して一組の前記第１および第２ベルト１，２を形成する。各組の第１および第２ベルト１，２を連続体のバック部を構成する部位に固定する。連続体３０を所定のピッチで切断して、個々のオムツに切り放す。【選択図】図１
2006197976.tif 000002
【特許請求の範囲】
【請求項１】
着用者の腹側を覆うフロント部と着用者の背側を覆うバック部と前記フロント部およびバック部の間の股部とを有するオムツ本体と、前記バック部に固定された端部を有し、着用者の胴回りを締める第１および第２ベルトとを備えるオムツの製造方法であって、
搬送方向に連続するとともに第１側部および第２側部を有する帯状のウエブを搬送しながら、前記ウエブの長手方向に連続した波形の切断線に沿って前記ウエブを切断することで、先端に近づくに従い概ね徐々に細くなる帯状の複数の第１帯状部を有すると共に前記各第１帯状部同士を前記ウエブの第１側部において連ねた櫛状の第１分割ウエブと、先端に近づくに従い概ね徐々に細くなる帯状の複数の第２帯状部を有すると共に前記各第２帯状部同士を前記ウエブの第２側部において連ねた櫛状の第２分割ウエブとを形成する工程と、
前記第１帯状部と前記第２帯状部とが互いに重なり合うように、前記第１分割ウエブおよび／または前記第２分割ウエブの位相をウエブの搬送方向に沿ってずらす工程と、
前記互いに重なり合った第１および第２帯状部を互いに仮接合する工程と、
前記互いに仮接合された一組の第１および第２帯状部を含むように、前記第１および第２分割ウエブの各側部を切断して、一組の前記第１および第２ベルトを形成する工程と、
前記オムツ本体を構成する連続体における前記バック部を構成する部位に重なるように、前記各組の第１および第２ベルトを前記連続体の搬送方向の所定のピッチで配置する工程と、
前記所定のピッチで配置した第１および第２ベルトを前記バック部を構成する部位に仮接合する工程と、
前記各ベルトの一端部を前記バック部を構成する部位における胴回り方向の両端部において固定する工程と、
前記連続体を前記所定のピッチで切断して、個々のオムツに切り放す工程とを含むオムツの製造方法。
【請求項２】
請求項１において、前記各組の第１および第２ベルトを配置する際に、前記第１および第２ベルトの一端部が前記連続体の側縁から突出する状態で配置され、
前記各ベルトの一端部を固定する際に、前記連続体の側縁から突出する前記一端部を折り返して、前記一端部と前記各帯状部との間で前記連続体を挟んだ後に、前記各一端部の前記折り返した部位の少なくとも一部が前記連続体の側縁の近傍に固定されるオムツの製造方法。
【請求項３】
請求項１において、前記第１側部と前記第２側部とが互いに離れる方向に前記第１分割ウエブおよび第２分割ウエブを相対的に変位させて拡幅する工程を更に含み、
前記各組の第１および第２ベルトを配置する際に、前記第１および第２ベルトの一端部における前記第１および第２側部の概ね全部が前記連続体の側縁から突出する状態で配置され、
前記各ベルトの一端部を固定する際に、前記連続体の側縁から突出する前記一端部を折り返して、前記一端部と前記各帯状部との間で前記連続体を挟んだ後に、前記各一端部の前記折り返した部位の少なくとも一部が前記連続体の側縁の近傍に固定されるオムツの製造方法。
【発明の詳細な説明】
【技術分野】
【０００１】
本発明はベルトを備えたオムツの製造方法に関するものである。
【背景技術】
【０００２】
ベルトを備えたオムツは、着用者自身が立った姿勢で、着用者自身によって着用されるのに適している。かかるオムツとしては、下記の３つの特許文献に開示されたオムツが挙げられる。
【特許文献１】特開２００３−９３４４３号（要約書）
【特許文献２】特表２００４−５０８１３８号（ＷＯ２００２／０２２０６２）（要約書）
【特許文献３】特表２００４−５１６０７２号（ＷＯ２００２／０４９５６８）（要約書）
【発明の開示】
【０００３】
これらの特許文献に開示されたオムツでは、前記ベルトの幅が一定である。オムツのバック部を着用者の背面（背部）にフィットさせるには、ベルトの幅を広くするのが好ましい。しかし、幅の広いベルトは着用者の腹部における着用感を悪化させる。
一方、着用者の背面において幅が広く、かつ、着用者の腹部において幅が狭いベルトを採用すると、ベルトの形状がテーパ状に先窄まりになるので、ベルトの材料に無駄が生じる。
【０００４】
したがって、本発明の目的は、オムツのバック部が着用者の背面にフィットし易く、かつ、着用者の腹部回りの着用感が良好で、しかも、前記ベルトの材料に無駄が生じないオムツの製造方法を提供することである。更に、本発明の別の目的は、オムツの風合い（または見栄え）を向上させることである。
【０００５】
本発明のあるオムツの製造方法は、着用者の腹側を覆うフロント部と着用者の背側を覆うバック部と前記フロント部およびバック部の間の股部とを有するオムツ本体と、前記バック部に固定された端部を有し、着用者の胴回りを締める第１および第２ベルトとを備えるオムツの製造方法であって、搬送方向に連続するとともに第１側部および第２側部を有する帯状のウエブを搬送しながら、前記ウエブの長手方向に連続した波形の切断線に沿って前記ウエブを切断することで、先端に近づくに従い概ね徐々に細くなる帯状の複数の第１帯状部を有すると共に前記各第１帯状部同士を前記ウエブの第１側部において連ねた櫛状の第１分割ウエブと、先端に近づくに従い概ね徐々に細くなる帯状の複数の第２帯状部を有すると共に前記各第２帯状部同士を前記ウエブの第２側部において連ねた櫛状の第２分割ウエブとを形成する工程と、前記第１帯状部と前記第２帯状部とが互いに重なり合うように、前記第１分割ウエブおよび／または前記第２分割ウエブの位相をウエブの搬送方向に沿ってずらす工程と、前記互いに重なり合った第１および第２帯状部を互いに仮接合する工程と、前記互いに仮接合された一組の第１および第２帯状部を含むように、前記第１および第２分割ウエブの各側部を切断して、一組の前記第１および第２ベルトを形成する工程と、前記オムツ本体を構成する連続体における前記バック部を構成する部位に重なるように、前記各組の第１および第２ベルトを前記連続体の搬送方向の所定のピッチで配置する工程と、前記所定のピッチで配置した第１および第２ベルトを前記バック部を構成する部位に仮接合する工程と、前記各ベルトの一端部を前記バック部を構成する部位における胴回り方向の両端部において固定する工程と、前記連続体を前記所定のピッチで切断して、個々のオムツに切り放す工程とを含む。
【０００６】
本発明の方法により製造されたオムツは、各ベルトが先端に近づくに従い細くなるので、着用者の腹部周りにおいてベルトが邪魔にならず、着用感が良い。
一方、着用者の背面においてベルトの幅が広いので、オムツのバック部全体が着用者の背面にフィットし易い。
しかも、ウエブを切断して前記帯状のベルトを作成するので、材料に無駄が生じない上、見栄えもよい。
【０００７】
本発明において、「仮接合」とは、ベルトやオムツ本体を実質的に傷めることなく、ベルト同士やオムツ本体から部材を容易に剥がすことのできる状態に、ベルトや部材を接合することをいい、一般に、「仮接合」された部分は「固定」された部分よりも剥がし易い。
また、本発明において、「オムツ」とは、小便および大便等を吸収可能なものを含むほか、いわゆる失禁パッドのような少量の小便の吸収を本来的な目的とした着用物品を含む。
【０００８】
本発明の好ましい実施例では、前記各組の第１および第２ベルトを配置する際に、前記第１および第２ベルトの一端部が前記連続体の側縁から突出する状態で配置され、前記各ベルトの一端部を固定する際に、前記連続体の側縁から突出する前記一端部を折り返して、前記一端部と前記各帯状部との間で前記連続体を挟んだ後に、前記各一端部の前記折り返した部位の少なくとも一部が前記連続体の側縁の近傍に固定される。
【０００９】
本発明において、ベルトを折り返すことなく、ベルトがバック部に接合されて固定されると、着用時にベルトを引っ張った際にベルトとバック部との接合部分が剥がれ易くなる。これに対し、ベルトを折り返して、当該ベルトの折り返し部分がバック部に接合されて固定されることにより、着用時にベルトを引っ張っても、ベルトとバック部との接合部分が剥がれ難くなる。
【００１０】
本発明の別の好ましい実施例では、前記第１側部と前記第２側部とがウエブの幅方向に前記第１分割ウエブおよび第２分割ウエブを相対的に変位させて拡幅する工程を更に含み、前記各組の第１および第２ベルトを配置する際に、前記第１および第２ベルトの一端部における前記第１および第２側部の概ね全部が前記連続体の側縁から突出する状態で配置され、前記各ベルトの一端部を固定する際に、前記連続体の側縁から突出する前記一端部を折り返して、前記一端部と前記各帯状部との間で前記連続体を挟んだ後に、前記各一端部の前記折り返した部位の少なくとも一部が前記連続体の側縁の近傍に固定される。
【００１１】
本実施例では、前記拡幅工程により、ベルトの一端部を連続体から大きく突出させることが可能になる。そのため、前記ベルトの一端部が折り返されることにより、幅広の一端部の概ね全部がバック部に重なるので、前記幅広の一端部がオムツ本体から出っ張ることがないから、見栄えが良くなる上、ベルトがバック部により強固に固定される。
【発明を実施するための最良の形態】
【００１２】
本発明は、添付の図面を参考にした以下の好適な実施例の説明からより明瞭に理解されるであろう。しかしながら、実施例および図面は単なる図示および説明のためのものであり、本発明の範囲を定めるために利用されるべきものではない。本発明の範囲は請求の範囲のみによって定まる。添付図面において、複数の図面における同一の部品番号は、同一または相当部分を示す。
【００１３】
第１実施例：
以下、本発明の実施例が図面にしたがって説明される。
まず、製造方法の説明に先立って、本発明により製造され得るオムツの一例について、図３および図４にしたがって説明する。
【００１４】
図４（ａ）において、オムツは、オムツ本体３と第１ベルト１と第２ベルト２とを備える。前記オムツ本体３は、着用者の腹側を覆うフロント部３ｆと、着用者の背側を覆うバック部３ｂと、前記フロント部３ｆおよび前記バック部３ｂの間の股部３ｃとを有する。前記第１および第２ベルト１，２は、前記バック部３ｂから胴回り方向の両側に突出して設けられている。両ベルト１，２は、後述するように、着用者の胴回りを締めるためのものである。
【００１５】
図４（ａ）、図４（ｃ）に示すように、オムツ本体３は、複数のシート状部材、吸収体および弾性部材を積層してなる。
図４（ａ）、図４（ｃ）に示すように、前記オムツ本体３は、液透過性を有するトップシート３１と、吸収体Ｃと、液不透過性を有するバックシート３２と、アウターシート３３とを積層して形成される。前記防漏壁（カフ）３４が、トップシート３１の上に設けられてもよい。
なお、吸収体Ｃは、パルプを紛砕したフラッフパルプおよび／または高吸収性ポリマーを有していてもよい。吸収体Ｃは、エアレイドパルプ等でもよい。
【００１６】
防漏壁３４は、便および／または尿が吸収体Ｃまたはオムツの外に出るのを妨げる。防漏壁３４は立体的であってもよい。前記オムツ本体３には、便および／または尿がオムツから漏れるのを防止するための複数の弾性部材３５が設けられてもよい。
【００１７】
フロント部３ｆおよびバック部３ｂには、着用者とオムツとのズレを抑えるためのウエストギャザを形成する弾性部材３６，３７が配置されてもよい。弾性部材３５〜３７は、糸ゴムでもよいし、平ゴムでもよい。
【００１８】
前記オムツ本体３のバック部３ｂの胴回り方向の両端部には、前記第１および第２ベルト１，２の一端部（固定端部）１１，２１が固定されている。前記各ベルト１，２の一端部１１，２１は、たとえば、防漏壁３４を構成するウエブとバックシート３２との間に挟まれて固定されている。
【００１９】
前記第１ベルト１は前記一端部１１において幅が広くなっており、かつ、前記一端部１１から他端部（自由端部）１２に行くに従って幅が狭くなる第１テーパ状部（第１帯状部の一例）１３を有する。一方、前記第２ベルト２は前記一端部２１において幅が広くなっており、かつ、前記一端部２１から他端部（自由端部）２２に行くに従って幅が狭くなる第２テーパ状部（第２帯状部の一例）２３を有する。
なお、前記各テーパ状部１３，２３は、必ずしも滑らかなテーパ状に形成する必要はなく、先端に近づくに従い段階的に細くなる帯状であってもよい。
【００２０】
前記第１ベルトの他端部１２の内面側には、第１接合部材４１が固定されている。前記第１接合部材４１は第２ベルト２の外面側と接離可能に（取外し可能に）接合される。図３（ｄ）のオムツの着用状態において、前記第１接合部材４１は第２ベルト２の中央部２３ないし他端部２２に接合される。これにより、第１および第２ベルト１，２とバック部３ｂとが環状に連なって、オムツが着用者の胴部にフィットする。着用者は、自身の胴回りに合わせて、第１接合部材４１が接合される第２ベルトの位置を調整することで、フィット感を調整できる。
【００２１】
図４（ｂ）のオムツ本体３のフロント部３ｆの内面側には、第２接合部材４２が固定されている。図３（ｄ）に示すように、前記第２接合部材４２は、オムツの着用状態において、前記第１および第２ベルト１，２の外面側に接合される。これにより、オムツを股間に宛てがうことが可能になっている。
【００２２】
なお、本明細書において、「内面側」とは、肌に接する側をいい、一方、「外面側」とは、前記内面側とは反対の側であって、外側に露出する側をいう。
【００２３】
前記各接合部材４１，４２としては、たとえば、面ファスナや粘着テープが採用されてもよい。本実施例の場合、前記防漏壁３４、前記第１および第２ベルト１，２を構成する材料は不織布であり、一方、前記各接合部材４１，４２は雄面ファスナであり、前記雄面ファスナは前記不織布の表面に係合して接合される。
なお、雄面ファスナに係合する雌面ファスナがベルト１，２に設けられてもよい。
【００２４】
つぎに、オムツの製造方法の一例が説明される。
まず、前記一組のベルト１，２の製造方法が図１に従って説明される。
図１（ａ）に示すように、帯状の連続ウエブＷを矢印の方向（搬送方向）Ｙに搬送しながら、所定のピッチλ（図１（ｂ））で複数の第１接合部材４１を前記ウエブＷに固定する。なお、第１接合部材４１は、図１（ａ）の紙面の裏側に相当する面（製造されたオムツのベルトの内面側となる面）に固定される。
【００２５】
次いで、図１（ｂ）に示すように、前記帯状のウエブＷを搬送しながら、前記ウエブＷの長手方向に連続した波形の切断線Ｌに沿って前記ウエブＷを切断する。これにより、櫛状の第１および第２分割ウエブＷ１，Ｗ２を生成する。前記第１分割ウエブＷ１はテーパ状の複数の第１テーパ状部１３を有すると共に、前記各第１テーパ状部１３同士が前記ウエブＷの第１側部Ｓ１において連なっている。前記第２分割ウエブＷ２は、テーパ状の複数の第２テーパ状部２３を有すると共に、前記各第２テーパ状部２３同士が前記ウエブＷの第２側部Ｓ２において連なっている。前記第１および第２テーパ状部１３，２３は、それぞれ、前記第１および第２側部Ｓ１，Ｓ２から自由端部１２，２２に近づくに従い細くなる先細りの形状を有する。なお、第１および第２側部Ｓ１，Ｓ２は、それぞれ、後述する各側部Ｓ１，Ｓ２の切断工程の後、第１および第２ベルトの固定端部１１，２１になる。
【００２６】
なお、前記ウエブＷの切断は、各第１テーパ状部１３に前記第１接合部材４１が配置されるように、行われる。また、前記ウエブＷを切断する切断線Ｌの波長は、前記第１接合部材４１を配置したピッチλに等しい。
【００２７】
続いて、図１（ｃ）のように、前記第１テーパ状部１３と前記第２テーパ状部２３とが重なり合うように、前記第１分割ウエブＷ１および／または第２分割ウエブＷ２の位相をウエブＷの搬送方向Ｙに沿ってずらす。たとえば、第１または第２分割ウエブＷ１，Ｗ２のうち一方を（λ／２＋ｎλ）だけ遅らせて搬送することにより、第１テーパ状部１３と第２テーパ状部２３とが互いに重なる。この際、前記第１接合部材４１が前記第１分割ウエブＷ１と第２分割ウエブＷ２との間の位置に配置されるように、前記第１分割ウエブＷ１と第２分割ウエブＷ２とを重ねる。
【００２８】
その後、前記互いに重なり合った第１および第２テーパ状部１３，２３が互いに仮接合される。この第１の仮接合は、前記第１接合部材４１が第２ベルト２の固定端部２１の近傍に係合されると共に、第１テーパ状部１３と第２テーパ状部２３との間がホットメルト樹脂によって、緩く接合されることによりなされる。かかる第１の仮接合によって、互いに重なり合った第１および第２テーパ状部１３，２３が互いに離れない状態で搬送可能になる。
【００２９】
前記第１の仮接合後、前記互いに仮接合された第１および第２テーパ状部１３，２３を含むように、前記第１および第２分割ウエブＷ１，Ｗ２の各側部Ｓ１，Ｓ２を切断して、一組の前記第１および第２ベルト１，２が形成される。
なお、この切断の際に、前記第１および第２ベルト１，２を各組ごとに切り離すだけでなく、前記側部Ｓ１，Ｓ２の一部を除去（トリミング）することも可能であり、この場合も本発明の範囲に含まれる。このトリミングは各側部Ｓ１，Ｓ２の切断工程の前または後に行われてもよい。
【００３０】
前記切り離し後、図１（ｄ）のように、隣接する各組のベルト１，２の間の間隔を所定の間隔Ｐに広げる。これにより、各組のベルトのピッチＰは、後に生成されるオムツのピッチＰないし全長に等しくなる。
【００３１】
次に、図２（ａ）のように、前記各組の第１および第２ベルト１，２が連続体３０の搬送方向Ｙの所定のピッチＰで配置される。前記連続体３０は、たとえば、図４（ｂ）のトップシート３１に防漏壁３４を固着した複合体であり、後に切断されてオムツ本体３を構成する。各組の第１および第２ベルト１，２は、前記連続体３０におけるバック部３ｂ（図３（ｂ））に重なるように配置されると共に、ホットメルト樹脂等により当該部位に仮接合される（第２の仮接合）。この第２の仮接合により、前記各組の第１および第２ベルト１，２が連続体３０から離れないような状態で搬送することができる。
前記配置工程において、前記第１および第２ベルト１，２の固定端部１１，２１が前記連続体３０の側縁３０ｅから突出する状態で、各ベルト１，２が配置される。
【００３２】
前記第２の仮接合の後に、前記連続体３０の側縁３０ｅから突出する前記固定端部１１，２１が、図２（ｂ）のように、折り返される。これにより、前記各固定端部１１，２１と前記各テーパ状部１３，２３との間で前記連続体３０が挟まれる。この後に、前記各固定端部１１，２１の前記折り返した部位の少なくとも一部が前記連続体３０の前記側縁３０ｅの近傍に固定される。
すなわち、前記各ベルト１，２の固定端部１１，２１が前記バック部３ｂ（図３（ｂ））を構成する部位における胴回り方向の両端部において固定される。
【００３３】
前記各ベルト１，２の固定後、図２（ｃ）に示すように、前記連続体３０に前記吸収体Ｃやアウターシート３３などを積層して、オムツ本体３（図３（ｂ））に相当する積層体を生成する。その後、前記連続体３０を前記所定のピッチＰで切断して、個々のオムツに切り離す。この切断の際に仮想線で示すように、前記テーパ状部１３，２３を切断しないように、前記各ベルト１，２の固定端部１１，２１を切断してもよい。この場合、フロント部３ｆに前記各固定端部１１，２１の切れ端１１ｅ，２１ｅ（図３（ｂ））が残る。なお、前記各ベルト１，２の固定端部１１，２１を切断しない位置で連続体３０のみを切断するようにしてもよい。
【００３４】
前記連続体３０を切断する工程において、前記連続体３０における股部３ｃを構成する部位の一部が除去（トリミング）されてもよい。このトリミングは、前記連続体３０を切断する工程の前または後に行われてもよい。
【００３５】
こうして、図３（ｂ）および図３（ｃ）に示すオムツが生成される。これらの図に示すように、製造された前記オムツにおいては、前記第１および第２のベルト１，２が前記バック部３ｂの内面側ＩＮに折り畳まれている。なお、前記第１および第２のベルト１，２は図３（ａ）の外面側ＯＵＴに折り畳まれてもよい。
【００３６】
図３（ｂ）の前記第１ベルト１の固定端部１１は、前記バック部３ｂの胴回り方向の一端で折り返されて当該バック部３ｂに固定されている。前記第２ベルト２の固定端部２１は前記バック部３ｂの胴回り方向の他端で折り返されて当該バック部３ｂに固定されている。なお、オムツの出荷時には、股部３ｃが２つに折り畳まれて、第２接合部材４２により、フロント部３ｆが第１ベルト１および／または第２ベルト２の上に仮接合された状態であってもよい。
【００３７】
前記連続体３０にバックシート３２を積層する際に、前記各ベルト１，２の固定端部１１，２１が、図４（ｂ）の防漏壁３４とバックシート３２との間に挟まれた状態となって、防漏壁３４およびバックシート３２の双方に接着されてもよい。この場合、前記各ベルト１，２のオムツ本体３に対する固定が強固になる。
【００３８】
次に、本オムツの着用方法が説明される。
着用者は図３（ｂ）および図３（ｃ）の前記折り畳まれた第１ベルト１および第２ベルト２を開いて、前記第１および第２の仮接合を解く。着用者は、立姿勢の状態で、図３（ｄ）のように、前記第１接合部材４１により両ベルト１，２の先端部を着用者の腹側において互いに接合する。この接合後、着用者は、当該互いに接合された第１ベルトおよび／または第２ベルト１，２に、前記第２接合部材４２，４２を介して、前記フロント部３ｆを接合して、オムツを着用する。
【００３９】
第２実施例：
図５（ａ）〜図８（ｃ）は第２実施例を示す。
本第２実施例では、図８（ａ）に明示するように、第１および第２ベルト１，２における幅広の固定端部１１，２１の概ね全部において第１および第２ベルト１，２がオムツ本体３に固定されている。
このようにベルトが固定されたオムツは、幅広の固定端部１１，１２がオムツ本体３から出っ張っらないので、見栄えがよい上、各ベルト１，２とオムツ本体との接合部分が大きくなるので、各ベルト１，２のオムツ本体３に対する固定が強固になる。
【００４０】
次に、前記オムツの製造方法の一例が説明される。
この例では、図５（ｂ）に示すウエブＷの切断後、前記ベルト１，２同士を仮接合するまでの間に第１分割ウエブＷ１と第２分割ウエブＷ２とを拡幅する。すなわち、図５（ｃ）に示すように、前記第１側部Ｓ１と前記第２側部Ｓ２とがウエブの幅方向に、前記第１分割ウエブＷ１および第２分割ウエブＷ２が相対的に変位されて拡幅される。なお、この拡幅においては、一方の分割ウエブＷ１（Ｗ２）のみをウエブの幅方向に移動させてもよいし、２つの分割ウエブＷ１，Ｗ２の双方をウエブの幅方向に移動させてもよい。
【００４１】
前記拡幅により、図６（ａ）に示すように、前記各組の第１および第２ベルト１，２を配置する際に、前記第１および第２ベルト１，２の固定端部１１，２１における前記第１および第２側部Ｓ１，Ｓ２の概ね全部が前記連続体３０の側縁３０ｅから突出する状態で配置される。
この配置後、図６（ｂ）に示すように、前記連続体３０の側縁３０ｅから突出する前記各固定端部１１，２１を折り返して、前記各固定端部１１，２１の前記折り返した部位の少なくとも一部が前記連続体３０の側縁３０ｅの近傍に固定される。
【００４２】
ところで、前記各実施例では、図４（ｂ）の第１および第２ベルト１，２がトップシート３１の防漏壁３４に接合されたが、図８（ｂ）のように、第１および第２ベルト１，２はトップシート３１自体、あるいは、トップシート３１および防漏壁３４の双方に接合されてもよい。
また、図２（ａ）の連続体３０として、図４（ｂ）のバックシート３２および／またはアウターシート３３を採用して、前記バックシート３２またはアウターシート３３の内面側または外面側に第１および第２ベルト１，２を固定してもよい。
【００４３】
また前記各実施例では、図３（ｃ）の第１および第２ベルト１，２がオムツの内面側に折り返されたが、第１および第２ベルト１，２が外面側に折り返されてもよい。この場合、第１および第２ベルト１，２はオムツの内面側に載せられる。
また、前記各ベルト１，２の折り返しは、ウエブＷの切断前に図１（ａ）の第１および第２側部Ｓ１，Ｓ２が折り返されて実行されてもよいし、あるいは、ウエブＷの切断後に図１（ｂ）の第１および第２分割ウエブＷ１，Ｗ２の第１および第２側部Ｓ１，Ｓ２が折り返されて実行されてもよい。
【００４４】
さらに、前記各実施例では、第１および第２ベルト１，２の固定端部１１，１２を折り返したが、第１および第２ベルト１，２の固定端部１１，１２が、連続体３０の幅内に収まるようにして、前記第１および第２ベルト１，２を折り返さずに連続体３０に固定することも可能であり、この場合も本発明の範囲に含まれる。更に、前記第１および第２ベルト１，２を折り返さずに、前記連続体３０の両側部を折り返して、この折り返した部位に前記ベルト１，２の固定端部１１，１２を固定してもよい。
【００４５】
以上のとおり、図面を参照しながら好適な実施例を説明したが、当業者であれば、本明細書を見て、自明な範囲で種々の変更および修正を容易に想定するであろう。
たとえば、第１接合部材４１は第２ベルト２の外面側に設けられてもよい。
また、仮接合は、ホットメルト樹脂や面ファスナの他に、ソニックによる溶着で実現されてもよい。
また、オムツが失禁パッドとして用いられる場合には吸収体Ｃを小さくしてもよい。
また、本オムツは図３（ｄ）に示す用い方（着用状態）に加え、他の用い方を可能とするような構造であってもよい。
したがって、そのような変更および修正は、請求の範囲から定まる本発明の範囲内のものと解釈される。
【産業上の利用可能性】
【００４６】
本発明は、オムツの製造に適用することができる。
【図面の簡単な説明】
【００４７】
【図１】図１（ａ）〜図１（ｄ）は、本発明にかかるベルトの製造方法の一例を示す正面図である。
【図２】図２（ａ）〜図２（ｃ）は、本発明にかかるオムツの製造方法の一例を示す正面図である。
【図３】図３（ａ）、図３（ｂ）および図３（ｃ）は、それぞれ、製造されたオムツを示す背面図、正面図および IIIc-IIIc線断面図、図３（ｄ）は着用時におけるオムツの概略断面図である。
【図４】図４（ａ）、図４（ｂ）および図４（ｃ）は、それぞれ、ベルトを拡げた際のオムツを示す正面図、 IVb-IVb線断面図、 IVc-IVc線断面図である。
【図５】図５（ａ）〜図５（ｄ）は、本発明にかかるベルトの製造方法の一例を示す正面図である。
【図６】図６（ａ）〜図６（ｃ）は、本発明にかかるオムツの製造方法の一例を示す正面図である。
【図７】図７（ａ）および図７（ｂ）は、それぞれ、製造されたオムツを示す背面図、正面図である。
【図８】図８（ａ）、図８（ｂ）および図８（ｃ）は、それぞれ、ベルトを拡げた際のオムツを示す正面図、 VIIIb-VIIIb線断面図、 VIIIc-VIIIc線断面図である。
【符号の説明】
【００４８】
１：第１ベルト
１１：一端部（固定端部）
１３：第１テーパ状部（第１帯状部）
２：第２ベルト
２１：一端部（固定端部）
２３：第２テーパ状部（第２帯状部）
３：オムツ本体
３ｂ：バック部
３ｃ：股部
３ｆ：フロント部
４１：第１接合部材
４２：第２接合部材
Ｌ：切断線
Ｗ：ウエブ
Ｗ１：第１分割ウエブ
Ｗ２：第２分割ウエブ
Ｓ１：第１側部
Ｓ２：第２側部
【図１】
2006197976.tif 000003
【図２】
2006197976.tif 000004
【図３】
2006197976.tif 000005
【図４】
2006197976.tif 000006
【図５】
2006197976.tif 000007
【図６】
2006197976.tif 000008
【図７】
2006197976.tif 000009
【図８】
2006197976.tif 000010